(57)【要約】      （修正有）【課題】  人間工学的なケーブル・タイ設置ツールを提供すること。【解決手段】  人間工学的なケーブル・タイ設置ツール３０は、胴部から垂下するグリップ３４を備えるほぼピストル型のハウジング３２を備える。グリップ３４の下側領域に、トリガ機構のトリガ・リンケージ５６が枢動自在に接続されている。トリガ機構はまた、トリガ・リンケージ５６に枢動自在に接続されている中間リンケージ７２を備える。中間リンケージ７２はハウジング３２内で支持されている。中間リンケージ７２はさらに、ハウジング３２内でこれも支持されている引張機構８５と接続されている。引張機構８５は、中間リンケージ７２をケーブル・タイと結合する。トリガ・リンケージ５６をグリップ３４のほうへ、通常使用者の手によって枢動させることによって、中央リンケージ７２が枢動し、その結果、引張機構がケーブル・タイ内の引張力の増加を生じさせる。【選択図】  図２
2005119744.tif 000002
【特許請求の範囲】
【請求項１】
胴部から垂下しているグリップを備え、前記胴部およびグリップがそれぞれ、ハウジングの中央平面内にほぼ含まれているまたは中央平面と平行であるそれぞれの長手方向軸を有する、ほぼピストル型のハウジングと、
その一方の端部がその遠端部にほぼ隣接する前記グリップと枢動自在に接続された、細長いトリガ部材を有するトリガ・リンケージを備え、前記トリガ部材が、ハウジングの中央平面内にほぼ含まれているまたは中央平面と平行である長手方向軸を有し、前記枢動自在な接続部が、前記トリガ部材の開放位置と閉鎖位置の間の枢動を可能にするトリガ機構とを備え、
前記トリガ機構が、前記ハウジング内に延びている、一方の端部で前記トリガ部材と接続された中間リンケージを備え、
さらに、前記トリガ部材の前記閉鎖位置へ向かう枢動が、前記中間リンケージの枢動を生じさせ、その結果、前記引張機構が尾部の引張力を増加させるように、前記中間リンケージの別の端部の尾部との結合を可能にする、前記胴部の遠端部を通って前記ハウジング内に延びる引張機構とを備える、細長い尾部を有するケーブル・タイ設置用ツール。
【請求項２】
前記トリガ部材が、前記トリガ部材が前記開放位置にあるとき、その前記グリップからの距離が、前記枢動自在な接続部と前記グリップの間の距離よりも大きい遠位の領域を有する、請求項１に記載のツール。
【請求項３】
前記中間リンケージが、前記ハウジング内に配置された指部材を備え、前記指部材が、その遠端部にほぼ隣接する前記グリップと枢動自在に接続された一方の端部を有し、前記指部材の他方の端部が、前記引張機構と結合され、前記指部材が、前記中央平面内にほぼ含まれる、または中央平面と平行である長手方向軸を有し、前記枢動自在な接続部が、前記指部材の開放位置と閉鎖位置の間の枢動を可能にし、前記指部材が前記閉鎖位置に向かって枢動されるとき、前記指部材と引張部材の間の前記結合が、尾部で前記引張力を増加させる、請求項１に記載のツール。
【請求項４】
前記指部材が前記開放位置にあるとき、前記止め具が前記指部材によって係合され、前記止め具が前記開放位置の上方での前記指部材の枢動を防止するように、前記胴部に固定された止め具をさらに備える、請求項３に記載のツール。
【請求項５】
前記中間リンケージが、前記指部材と枢動自在に接続された一方の端部を有する細長い中間リンクをさらに備え、前記中間リンクの他方の端部が、前記トリガ部材と枢動自在に接続された一方の端部を有し、前記中間リンクの枢動自在な接続部が、中間リンクが、前記トリガおよび指部材に対して傾斜するように互いに偏移しており、前記トリガ部材の前記閉鎖位置へ向かう枢動が、前記トリガおよび指部材に関する枢動を生じさせ、その結果、前記指部材が、前記閉鎖位置へ向かって枢動する、請求項３に記載のツール。
【請求項６】
前記中間リンクの前記指部材との前記枢動自在な接続部が、前記中間リンクの前記トリガ部材との前記枢動自在な接続部と比較して前記胴部により近い、請求項５に記載のツール。
【請求項７】
戻りばねが前記トリガ部材の前記閉鎖位置へ向かう枢動を位置合わせするように、前記トリガ・リンケージおよび中間リンケージと接続された戻りばねをさらに備える、請求項１に記載のツール。
【請求項８】
前記トリガ部材が、内側トリガ部材を画定し、前記トリガ・リンケージが、その一方の端部が、その前記一方の端部に対向する前記トリガ部材の端部と枢動自在に接続されている細長い外側トリガ部材をさらに備え、前記外側トリガ部材が、前記中央平面にほぼ含まれる、または中央平面と平行である長手方向軸を有し、前記外側トリガ部材の前記枢動自在な接続部が前記外側トリガ部材の前記閉鎖位置へ向かう枢動が前記中間リンケージの枢動を生じさせるように、開放位置と閉鎖位置の間でのその枢動を可能にする、請求項１に記載のツール。
【請求項９】
前記トリガ部材および中間リンケージが、前記外側トリガ部材の前記グリップへ向かう変位が前記トリガ部材の反転する連続枢動を生じさせ、前記変位が前記外側トリガ部材の前記内側トリガ部材に対する、前記閉鎖位置へ向かう初期方向への初期枢動を生じさせ、前記初期枢動が、前記中間リンケージの枢動を生じさせて、前記引張機構に尾部での前記引張力を増加させるような形状およびサイズであり、
前記反転する連続枢動が、前記内側トリガ部材の前記グリップに対する前記閉鎖位置へ向かう次の方向での次の枢動を生じさせて、前記外側トリガ部材の前記グリップへ向かう連続的な変位を可能にし、前記次の方向が前記初期方向と対向しており、前記次の枢動が、前記中間リンケージの枢動を生じさせ、その結果、前記引張機構が尾部の引張力を増加させる、請求項８に記載のツール。
【請求項１０】
前記トリガ部材および中間リンケージが、前記初期枢動中、前記内側トリガ部材の前記グリップに対する枢動が実質上制限されるような形状およびサイズにされており、前記外側トリガ部材の前記内側トリガ部材に対する初期枢動が、前記制限に到達することが、前記外側トリガ部材の前記初期方向への連続的な枢動を実質上防止し、前記次の枢動を開始させるように制限され、前記外側トリガ部材の前記内側トリガ部材に対する枢動が、前記次の枢動中に実質上制限される、請求項９に記載のツール。
【請求項１１】
トリガ部材が前記各開放位置にあるとき、止め具が前記内側および外側トリガ部材によって係合され、前記止め具が、前記各開放位置上での前記内側および外側トリガ部材の枢動を防止するように、前記胴部に固定された止め具をさらに備える請求項８に記載のツール。
【請求項１２】
前記中間リンケージが、前記ハウジング内に配置された指部材を備え、前記指部材が、その遠端部にほぼ隣接する前記グリップと枢動自在に接続された一方の端部を有し、前記指部材の他方の端部が、前記引張機構と結合され、前記指部材が、前記中央平面内にほぼ含まれる、または中央平面と平行である長手方向軸を有し、前記枢動自在な接続部が、前記指部材の開放位置と閉鎖位置の間の枢動を可能にし、前記指部材と引張部材の間の前記結合が、前記指部材が前記閉鎖位置に向かって枢動されるとき、尾部で前記引張力を増加させる、請求項８に記載のツール。
【請求項１３】
前記中間リンケージが、中央リンクおよび内側および外側リンクを備え、
前記中央リンクが、前記内側トリガ部材と枢動自在に接続された一方の端部を有し、
前記内側リンクが、前記指部材と枢動自在に接続された一方の端部を有し、前記内側リンクの他方の端部が、前記中央リンクと枢動自在に接続されており、
前記外側リンクが、前記外側トリガ部材と枢動自在に接続された一方の端部を有し、前記外側リンクの他方の端部が、前記中央および内側リンクの前記他方の端部と枢動自在に接続されており、
前記リンクのそれぞれが、そのそれぞれが前記中央平面内にほぼ含まれる、または中央平面と平行である長手方向軸を有し、前記リンクが、前記トリガ部材がそれぞれ前記各開放位置にあるときほぼＹ字型の形状を有する、請求項１２に記載のツール。
【請求項１４】
前記グリップが、前記内側トリガ部材に面した内部表面を有し、前記内部表面が、前記トリガ部材が前記各閉鎖位置へ枢動したとき、前記中央および内側横方向リンクの部分がその中で受けられるくぼみを有する、請求項１３に記載のツール。
【請求項１５】
戻りばねが前記外側トリガ部材の前記閉鎖位置へ向かう枢動を位置合わせするように、前記外側トリガ部材および中間リンケージと接続された戻りばねをさらに備える、請求項７に記載のツール。
【請求項１６】
前記戻りばねが、ほぼ細長く、前記中央平面内にほぼ含まれるまたは中央平面と平行である長手方向軸を有する、請求項１５に記載のツール。
【請求項１７】
前記外側トリガ部材が下側隅部分と上側傾斜部分を有し、前記内側トリガ部材が、上側および下側セグメントの間に中間セグメントを有し、前記中間セグメントが、内側軸の外側にあるように、前記中間セグメントが前記上側および下側セグメントに対して傾斜され、前記内側軸が、前記中央平面内にほぼ含まれるまたは中央平面と平行であり、前記内側軸が、前記内側および外側トリガ部材の間の前記枢動自在な接続部と交差しており、前記内側軸が、前記内側トリガ部材とグリップの間の前記枢動自在な接続部とさらに交差している、請求項８に記載のツール。
【請求項１８】
前記下側隅部分と上側傾斜部分の間のほぼ交点で、前記外側トリガ部材と接続されたほぼ細長い戻りばねをさらに備え、前記戻りばねが、前記指部材の前記グリップとの枢動自在な接続部とさらに接続され、前記戻りばねが、前記戻りばねが、前記外側トリガ部材の前記閉鎖位置へ向かう枢動を位置合わせするように、前記中央平面内にほぼ含まれるまたは中央平面と平行である長手方向軸を有する、請求項１７に記載のツール。
【請求項１９】
前記ハウジングが、前記胴部およびグリップがその中で支持されている殻本体を備える外殻を備え、前記外殻が、前記トリガ・カバーが前記胴部と垂下関係にあるように前記殻本体と枢動自在に接続されたトリガ・カバーをさらに備え、前記枢動可能な接続部が、開放位置と閉鎖位置の間の前記トリガ・カバーの枢動を可能にし、前記トリガ・カバーが、前記トリガ・カバーの前記閉鎖位置へ向けた枢動が、前記トリガ・カバーを前記外側トリガ部材と接触させて、前記外側トリガ部材を前記閉鎖位置へ枢動させるように、前記外側トリガ部材に対して外側に配置されている、請求項８に記載のツール。
【請求項２０】
前記ハウジングが、前記トリガ・カバーの上に外向きに延びるように前記トリガ・カバーによって回転自在に支持されたローラを備え、前記ローラが、その方向が前記トリガ・カバーの長手方向軸とほぼ同じである回転軸を有し、前記ローラが、使用者の手が前記トリガ・カバーを前記閉鎖位置へ枢動させるために閉じられたとき、使用者の手の指の少なくとも１本によって回転される、請求項１９に記載のツール。
【請求項２１】
前記トリガ・カバーが、カバー部材と、前記カバー部材内に形成された長手方向窓とを備え、前記トリガ・カバーが、前記窓の上側および下側端部にそれぞれ装着された上側および下側フランジをさらに備え、前記ローラが、前記ローラの前記回転を許すように前記上側および下側フランジのそれぞれに接続された対向する端部を有し、前記ローラの前記フランジとの前記接続が、前記ローラを前記窓のほぼ内部に配置し、前記ローラの前記カバー部材に対する長手方向、横方向、側方向変位を妨げる、請求項２０に記載のツール。
【請求項２２】
細長い尾部を有するケーブル・タイ設置用のツールを操作する方法であって、
該ツールは、
胴部から垂下しているグリップを備え、前記胴部およびグリップがそれぞれ、ハウジングの中央平面内にほぼ含まれているまたは中央平面と平行であるそれぞれの長手方向軸を有する、ほぼピストル型のハウジングと、
その一方の端部がその遠端部にほぼ隣接する前記グリップと枢動自在に接続された細長いトリガ部材を有するトリガ機構を備え、前記トリガ部材が、中央平面内にほぼ含まれているまたは中央平面と平行である長手方向軸を有し、前記枢動自在な接続部が、前記トリガ部材の開放位置と閉鎖位置の間の枢動を可能にするトリガ機構とを備え、
前記トリガ機構が、前記ハウジング内に延びている、一方の端部で前記トリガ部材と接続された中間リンケージを備え、
前記中間リンケージの別の端部の尾部との結合を可能にする、前記胴部の遠端部を通って前記ハウジング内に延びる引張機構とを備えており、
トリガ部材を開放位置へ枢動させる工程と、
胴部の遠端部が尾部と隣接するようにツールを配置する工程と、
尾部を引張機構と結合させる工程と、
トリガ部材を掴み、使用者の手の指がトリガ部材を部分的に包み、使用者の手のひらの手首に近い部分がグリップと当接し、指が、短い指が長い指と枢動自在な接続部の間にあるようにトリガ部材に沿って方向付けられるように把持する工程と、
トリガ部材を閉鎖位置へ枢動させるために使用者の手を閉じ、長い指のグリップへ向かう移動距離が、短い指のグリップへ向かう移動距離よりも大きく、トリガ部材の閉鎖位置へ向かう枢動が、中間リンケージの枢動を生じさせ、その結果、引張機構の引張力を尾部で増加させる工程とを含むことを特徴とする方法。
【請求項２３】
細長い尾部を有するケーブル・タイ設置用のツールを操作する方法であって、
ツールは、
胴部から垂下しているグリップを備え、前記胴部およびグリップがそれぞれ、ハウジングの中央平面内にほぼ含まれているまたは中央平面と平行であるそれぞれの長手方向軸を有する、ほぼピストル型のハウジングと、
その一方の端部がその遠端部にほぼ隣接する前記グリップと枢動自在に接続された細長い内側トリガ部材を備え、内側トリガ部材が、中央平面内にほぼ含まれているまたは中央平面と平行である長手方向軸を有し、枢動自在な接続部が、内側トリガ部材の開放位置と閉鎖位置の間の枢動を可能にするトリガ機構とを備え、
前記トリガ機構が、その一方の端部がその一方の端部に対向する内側トリガ部材の端部と枢動自在に接続された細長い外側トリガ部材を備え、外側トリガ部材が、中央平面内にほぼ含まれているまたは中央平面と平行である長手方向軸を有し、外側トリガ部材の枢動自在な接続部が、外側トリガ部材の開放位置と閉鎖位置の間の枢動を可能にし、
トリガ機構が、前記ハウジング内に延びている、一方の端部で前記トリガ部材と接続された中間リンケージを備え、さらに、
前記中間リンケージの別の端部の尾部との結合を可能にする、前記胴部の遠端部を通って前記ハウジング内に延びる引張機構とを備えており、
トリガ部材を開放位置へ枢動させる工程と、
胴部の遠端部が尾部と隣接するようにツールを配置する工程と、
尾部を引張機構と結合させる工程と、
外側トリガ部材を掴み、使用者の手の指が外側トリガ部材を部分的に包み、使用者の手のひらの手首に近い部分がグリップと当接する工程と、
トリガ部材を閉鎖位置へ枢動させるために使用者の手を閉じ、それによって中間リンケージの枢動を生じさせ、その結果、引張機構の引張力を尾部で増加させる工程とを含むことを特徴とする方法。
【請求項２４】
使用者の手を閉じる前記工程が、
閉鎖位置へ向かう初期方向での外側トリガ部材の内側トリガ部材に対する初期枢動工程と、
閉鎖位置へ向かう次の方向でのグリップに対する内側トリガ部材の次の枢動を生じさせ、次の方向が初期方向に対向している、グリップへ向かう外側トリガ部材の連続変位工程を含み、
トリガ部材の枢動が中間リンケージの枢動を生じさせる、請求項２３に記載の方法。
【請求項２５】
使用者の手を閉じる前記工程が、外側トリガ部材の、それに対してほぼ線形方向でのグリップへ向かう変位を含み、トリガ部材の各閉鎖位置への枢動が、中間リンケージの枢動を生じさせる、請求項２３に記載の方法。
【請求項２６】
グリップが、トリガ部材に面したその表面内にくぼみを有し、使用者の手を閉じる前記工程が、中間リンケージの一部がくぼみ内で十分に受けられるようにトリガ部材を配置する工程を含む、請求項２３に記載の方法。
【発明の詳細な説明】
【技術分野】
【０００１】
本発明は、一般にケーブル・タイ設置ツール、より具体的には、人間工学的なトリガ機構を有するこのようなツールに関する。
【背景技術】
【０００２】
当業者に公知のように、ケーブル・タイ（またはストラップ）は、電線またはケーブルなどの物品の群を結束するまたは固定するために使用されている。従来型の構造のケーブル・タイは、ケーブル・タイ頭部とそこから延びる細長い尾部を備える。尾部が、物品の束の周囲に巻かれ、その後、頭部内の通路に挿入される。ケーブル・タイの頭部は通常、尾部が通路に挿入されることを許すが、頭部内の通路を通っての尾部の引出しを防止する頭部通路内に延びるロッキング要素を支持している。それによって、尾部の、長手方向に分離された２つの部分が頭部に固定され、物品の群を互いに保持するためのループを画定する。
【０００３】
実際には、設置者が、結束される物品の周囲にタイを手で配置し、尾部を頭部通路に挿入し、その後束の周りにタイを手で締め付ける。この時点で、ケーブル・タイ設置ツールが、ケーブル・タイを引張るために使用される。あるタイプのこのようなケーブル・タイ設置ツールは、引張力を付加するために尾部を挿入することができる胴部を有する、ほぼピストル型のハウジングを備える。ハウジングは胴部から垂下するグリップを有する。ツールは、胴部の下のグリップの前方に配置されたトリガ部材を有するトリガ機構を備える。トリガ部材は、細長く、使用者の手の指が前方に延びるように使用者の手のひらの手首に近い部分がグリップに対して置かれると、指がトリガ部材の前方表面を包むように胴部に対してほぼ垂下関係にある。手のひらの手首に近い部分に向かって指を強制的に引くこと、すなわち、トリガ部材とグリップを圧搾することによって、トリガ部材がグリップのほうへ変位される。トリガ機構は、ハウジング内へ延びて、尾部を把持し、トリガ部材に加えられた引出力または圧搾力に比例する所定の引張力をそれに加えることができる。
【０００４】
このようなケーブル・タイ設置ツールのトリガ部材は通常、トリガ部材がグリップから最大の変位にあるとき、トリガ部材が胴部およびグリップに対して傾斜するように、胴部に隣接して枢動自在に装着される。この傾斜の結果、トリガ部材とグリップの間の距離は、胴部と隣接して最小であり、かつ胴部から遠ざかる方向で増加する。この傾斜は、トリガ部材がその圧搾の前に開放しているとき最大である。トリガ部材の圧搾は、トリガ部材をグリップに向かって枢動させ、トリガ部材とグリップの間の角度を閉じさせる。
【０００５】
トリガ部材のその圧搾の前の傾斜は、人間工学的な欠点を有する。このような欠点の１つは、手の短い指（すなわち小指および薬指）が、手の長い指（すなわち人指し指および中指）と比較してトリガ部材の枢動自在な接続部からより遠くなることである。トリガ部材に加えられる圧搾力が、圧搾力が枢動自在な接続部から離れるにつれて徐々に倍増するため、この相対距離は重要である。圧搾力は、トリガ機構を介して、ケーブル・タイに加えられる引張力に変換される。
【特許文献１】米国特許第５，９１５，４２５号
【発明の開示】
【発明が解決しようとする課題】
【０００６】
短い指は通常長い指よりも力がないため、トリガ部材の枢動によって生じた力の積は、長い指が枢動自在な接続部から遠い場合の力の積よりも小さい。かなりの圧搾力をトリガ部材に加えることが必要とされる、たとえばかなりの引張力がケーブル・タイで必要とされる場合、短い指が酷使されるかもしれない。別法としてこのようなかなりの引張力を生じさせるために、トリガ部材のてこ比を大きくするために、トリガ部材の傾斜が増加されるかもしれない。しかし、このような傾斜の増加は、短い指をさらに延ばして最初にトリガ部材を掴むことを必要とする。このような指の長さの制限のため、これは通常困難であろう。
【課題を解決するための手段】
【０００７】
本発明の人間工学的なケーブル・タイ設置ツールは、胴部から垂下するグリップを備えるほぼピストル型のハウジングを備える。グリップの下側領域に、トリガ機構のトリガ・リンケージが枢動自在に接続されている。トリガ機構はまた、トリガ・リンケージがそれと接続されている中間リンケージを備える。中間リンケージはハウジング内で支持されている。中間リンケージはさらに、ハウジング内でこれも支持されている引張機構と接続されている。引張機構は、中間リンケージをケーブル・タイと結合する。トリガ・リンケージをグリップのほうへ、通常使用者の手によって枢動させることによって、中間リンケージが枢動し、その結果、引張機構がケーブル・タイ内の引張力の増加を生じさせる。トリガ・リンケージは、トリガ・リンケージおよびグリップを把持したとき、使用者の手にいくつかの人間工学的な利点を提供するように、グリップに対して方向付けられている。
【０００８】
ツールの人間工学的な１つの利点は、使用者の手の指がトリガ・リンケージを掴むとき、使用者の手の長い指が、短い指と比較して枢動自在な接続部からより遠くにあることである。このことは、トリガ機構によって提供される力の積を増加させ、それによってケーブル・タイに加えられる引張力を増加させる。また、長い指は、より大きな到達距離を有し、トリガ・リンケージの傾斜が増加することを可能にし、より大きなてこ比を有するトリガ・リンケージを提供する。
【０００９】
トリガ機構は、単一のトグル機構によって構成されてもよい。追加の実施形態は、２重のすなわち複合トグル機構を備えるトリガ機構を備える。このような機構は、トリガ・リンケージの小さな角度変位で大きな引張力をケーブル・タイに伝達する可能性を含む追加の利点を有する。また、このようなトリガ機構は、トリガ・リンケージが閉鎖位置のほうへ徐々に枢動されるとき、ケーブル・タイに加えられる引張力が増加することを可能にする。通常、ケーブル・タイが伸長されるとき、連続的な伸長に対してますます抵抗するため、このことは特に有利である。また、このようなトリガ機構は、トリガ・リンケージの圧搾の結果、トリガ・リンケージのグリップに対するより直線状の変位が生じるように、グリップに対するトリガ・リンケージの傾斜を減少させることができる。
【００１０】
本発明のツールを操作する方法もまた、改良されたツールの人間工学設計を提供する。
【００１１】
本発明のこれらおよびその他の特徴は、添付の図面を用いて行われる本発明の特定の実施形態についての以下の説明からより完全に理解されるであろう。
【００１２】
図面のいくつかの図全体を通じて、対応する符号は、対応する部品を示す。
【発明を実施するための最良の形態】
【００１３】
図面、より具体的には図１から６を参照すると、人間工学的なケーブル・タイ設置ツール３０が、ケーブル・タイを、ワイヤやケーブルなどの物品の束に固定するために示されている。
【００１４】
ツール３０は、胴部から垂下するグリップを備えるピストル型のハウジングを備える。ハウジングは、外殻を備える。外殻内の中央に配置された内側の長手方向の平面状の枠を備えてもよい。このようなハウジング枠が、図１から６に示されており、一般に符号３２によって示されている。ハウジング枠３２は、グリップ内に含まれる部分を有し、ここでグリップ枠３４と称されている。ハウジング枠３２は、胴部内に含まれる別の部分を有し、ここで胴部枠３６と称されている。
【００１５】
グリップ枠および胴部枠３４、３６はそれぞれ、ハウジングの中央平面３８を画定するそれぞれの長手方向平面を有する。グリップおよび胴部は、それぞれの枠３４、３６を備え、中央平面３８内に含まれる長手方向軸４０、４２をそれぞれ有する。グリップおよび胴部の各長手方向軸４０、４２を、中央平面に対してほぼ平行である限り中央平面３８から偏移させることが可能である。
【００１６】
胴部枠３６は、遠端部４４と、遠端部の開口部４８を終点とする長手方向スロット４６とを有する。索環５０が、スロットが、索環を通って延びるように、長手方向スロット４６と同軸関係で遠端部４４の近くの胴部枠３６に固定されている。止め具５２が胴部枠３６上に横方向に装着されている。止め具はピンであってもよい。
【００１７】
ツール３０は、図１および５に示すように、２重部材構造を有する細長いトリガ部材５８を備えるトリガ・リンケージ５６を有するトリガ機構５４を備える。トリガ部材５８の各部材はそれぞれ、遠端部４４にほぼ隣接するグリップ枠３４と枢動自在に接続された一方の端部を有する。トリガの部材５８のそれぞれの部材は、図３に示すように、中央平面３８とほぼ平行である長手方向軸６２を有する。わかりやすくするために、トリガ部材５８の部材の対を、ここでトリガ部材５８と総称して呼ぶ。
【００１８】
２重部材構造に対する代替形態として、トリガ部材５８は、ここで説明した枢動自在な接続を提供するためのくぼみを有する単一部材構造を有してもよい。このような単一部材構造を有するトリガ部材５８の長手方向軸は、中央平面３８内にほぼ含まれる、または中央平面と平行である。
【００１９】
トリガ部材５８とグリップ枠３４の間の枢動自在な接続部６４は、図２に示す開放位置へ向かう方向６６および図６に示す閉鎖位置へ向かう方向６８へのトリガ部材の枢動を可能にする。トリガ部材５８は、そのグリップ枠３４からの距離がトリガ部材５８が図２に示す開放位置にあるときの枢動自在な接続部６４とグリップ枠の間の距離よりも大きい遠位領域７０を有する。
【００２０】
トリガ機構５４は、図１および５に示すように、２重部材構造を備える細長い指部材７５を有する中間リンケージ７２を備える。指部材７５の各部材はそれぞれ、遠端部６０にほぼ隣接するグリップ枠３４と枢動自在に接続されている一方の端部を有する。指部材７５のそれぞれの部材は、図３に示すように、中央平面３８とほぼ平行である長手方向軸８０を有する。わかりやすくするために、指部材７５の部材の対を、ここで指部材７５と総称して呼ぶ。
【００２１】
二重部材構造の代替形態として、指部材７５は、ここで説明した枢動自在な接続を提供するためのくぼみを有する単一部材構造を有してもよい。このような単一部材構造を有する指部材７５の長手方向軸は、中央平面３８内にほぼ含まれる、または中央平面と平行である。
【００２２】
枢動自在な接続部７７は、図１および２に示す開放位置に向かう方向８２での指部材７５の枢動を可能にする。開放位置では、図１および２に示すように、指部材が止め具５２と当接する。枢動自在な接続部７７は、図５および６に示す閉鎖位置に向かう方向８３での指部材７５の枢動をさらに可能にする。指部材７５は、図１および２に示す開放位置にあるとき、止め具５２に到達してそれと係合するために十分な長手方向寸法を有する。
【００２３】
指部材７５の他方の端部は、胴部枠３６へスロット４６を横切って延びている。指部材７５の他方の端部はそれぞれ、スロット４６内に配置された引張機構の軸方向に往復運動するプル・ロッド８５へ延びる戻り止め８４を有する。プル・ロッド８５は、指部材７５が図５および６に示す閉鎖位置に向かう方向８３に枢動するとき、戻り止めがプル・ロッドに対して長手方向に固定され、それによって、スロット４６内でプル・ロッドを軸方向に変位させるように、戻り止め８４がその中に挿入されるキャッチ８７を備える近端部８６を有する。その開示全体が参照により本明細書に組み込まれている米国特許第５，９１５，４２５号などの、代替となる実施形態が、戻り止め８４をプル・ロッド８５に長手方向に固定するために可能である。
【００２４】
プル・ロッド８５は、近端部８６から、遠端部４４および開口部４８を横切って、引張機構の追加の部品によってケーブル・タイと結合される遠端部８８へ延びる。このような結合を提供することができる機構の例が、米国特許第５，９１５，４２５号に開示されている。遠端部８８とケーブル・タイの間の結合の結果、図５および６に示すように、プル・ロッド８５のスロット４６内への軸方向変位が起こり、その結果、ケーブル・タイへの引張力の付加が生じる。
【００２５】
中間リンケージ７２は、２重部材構造を備える一方の長手方向部分と、単一部材構造を備える他方の長手方向部分とを有する細長い中間リンク８９をさらに備える。２重部材構造を有する中間リンク８９の部分は、図１、２、５および６に示すように指部材７５と枢動自在に接続されている。中間リンク８９の２重部材構造のそれぞれの部材は、図３に示すように、中央平面３８とほぼ平行である長手方向軸９０を有する。単一部材構造を有する中間リンク８９の部分は、図１、２、５および６に示すように、トリガ部材５８と枢動自在に接続されている。中間リンク８９の単一部材構造の部材は、中央平面３８内にほぼ含まれる長手方向軸９１を有する。わかりやすくするために、中間リンク８９の部分の部材を、ここで中間リンク８９と総称して呼ぶ。
【００２６】
単一および２重部材構造を組み合わせた中間リンク８９の代替形態として、リンクは、その長さ全体にわたって単一部材構造を有してもよい。このような単一部材構造を有する中間リンク８９の各部材の長手方向軸は、中央平面３８内とほぼ平行である。別法として、さらに、中間リンク８９は、その長さ全体にわたって２重部材構造を有してもよい。このような２重部材構造を有する中間リンク８９の長手方向軸は、中央平面３８内にほぼ含まれる、または中央平面と平行である。別法として、さらに、中間リンク８９は、他の組立形状の他の単一または２重部材構造を有してもよい。
【００２７】
中間リンク８９の枢動自在な接続部９２、９５は、図１、２、５および６で見られるように、中間リンクがトリガおよび指部材５８、７５に対して傾斜するように互いに偏移している。
【００２８】
ツール３０は、特許文献１に開示されているような追加の部品を有してもよい。
【００２９】
動作中、最初に、トリガ部材５８が、図１および２に示す開放位置の方向６６に枢動される。ケーブル・タイの尾部が、プル・ロッド８５の遠端部８８と結合される。
【００３０】
使用者が、トリガ部材５８を掴み、使用者の手の指がトリガ部材を部分的に包んで、使用者の手のひらの手首に近い部分がグリップと当接するように把持する。指は、短い指が、長い指と枢動自在な接続部６４の間にくるように、トリガ部材５８に沿った方向に向けられる。
【００３１】
次に、使用者の手が閉じられ、トリガ部材５８を図５および６に示した閉鎖位置へ向かう方向６８に枢動させる。トリガ部材５８の閉鎖の結果、長い指のグリップのほうへの移動距離が、短い指の対応する移動距離よりも大きくなる。
【００３２】
トリガ部材５８の図５および６に示した閉鎖位置へ向かう方向６８への枢動は、中間リンク８９に、指部材７５を枢動自在な接続部７７の周りに図５および６に示した閉鎖位置へ向かう方向８３へ枢動させる。トリガ部材および指部材５８、７５のこの枢動は、中間リンク８９を、図１および２に示す角度位置から図５および６に示す角度位置へ、トリガ部材および指部材に対して枢動させる。
【００３３】
図５および６に示した閉鎖位置へ向かう方向８３への指部材７５の枢動は、戻り止め８４を胴部枠３６の遠端部４４から長手方向に遠ざかるように並進させる。この結果、プル・ロッド８５のスロット４６内への対応する軸方向変位が生じ、ケーブル・タイがプル・ロッドと結合されているため、ケーブル・タイに引張力を加える。
【００３４】
ケーブル・タイ設置ツールの代替となる第２の実施形態３０ａが、図７から１１に示されている。図７から１１はそれぞれ、図１から４、および６の図に対応している。図１から４、および６に示された部品に対応する図７から１１に示された部品は、図７から１１では、添え字「ａ」を加えられた図１から４、および６と同じ符号を有する。
【００３５】
ツール３０ａは、細長い外側トリガ部材９７を備える。したがって、トリガ部材５８ａは、ツール３０ａの内側トリガ部材５８ａと称される。外側トリガ部材９７は、図７に示すように、２重部材構造を有する。
【００３６】
トリガ部材９７の各部材は、枢動自在な接続部６４ａから反対側にある内側トリガ部材５８ａの各部材の端部と枢動自在に接続された一方の端部をそれぞれ有する。トリガ部材９７の部材のそれぞれは、図９に示すように、中央平面３８ａとほぼ平行である長手方向軸９８を有する。わかりやすくするために、トリガ部材９７の部材の対を、ここで外側トリガ部材９７と総称して呼ぶ。
【００３７】
２重部材構造に対する代替形態として、外側トリガ部材９７は、ここで説明した枢動自在な接続を提供するためのくぼみを有する単一部材構造を有してもよい。このような単一部材構造を有するトリガ部材９７の長手方向軸は、中央平面３８ａ内にほぼ含まれる、または中央平面と平行である。
【００３８】
内側と外側トリガ部材５８ａ、９７の間の枢動自在な接続部１００は、外側トリガ部材が、図７および８に示す開放位置へ向かう方向１０２へ枢動することを可能にする。枢動自在な接続部１００はさらに、外側トリガ部材９７が、図１１に示す閉鎖位置へ向かう方向１０５へ枢動することを可能にする。
【００３９】
中間リンケージ７２ａは、中央リンク１０７および内側および外側リンク１０９、１１１を備える。中央リンク１０７は、単一部材構造を有する。内側および外側リンク１０９、１１１はそれぞれ、図７に示すように、２重部材構造を有する。
【００４０】
リンク１０７、１０９、１１１の各部材はそれぞれ、トリガ部材５８ａ、９７がそれぞれ図７および８に示す各開放位置にあるとき、リンクがほぼＹ字型の形状を有するように、枢動自在な接続部１１２で他のリンクの部材の各内側端部と枢動自在に接続された内側端部を有する。中央リンク１０７は、図９に示すように、中央平面３８ａ内にほぼ含まれる長手方向軸１１４を有する。内側および外側リンク１０９、１１１のそれぞれの部材は、中央平面３８ａとほぼ平行であるそれぞれの長手方向軸１１６、１１７を有する。わかりやすくするために、内側および外側リンク１０９、１１１の部材の対を、それぞれ、内側リンク１０９および外側リンク１１１とここで総称して呼ぶ。
【００４１】
単一部材構造に対する代替形態として、中央リンク１０７は、２重部材構造を有してもよい。２重部材構造に対する代替形態として、内側および外側リンク１０９、１１１のうちの１つまたは複数が、単一部材構造を有してもよい。このような構造を有するリンク１０７、１０９、１１１のいずれの長手方向軸も、中央平面３８ａ内にほぼ含まれる、または中央平面と平行である。
【００４２】
中央リンク１０７は、内側トリガ部材５８ａと枢動自在に接続された外側端部を有する。内側リンク１０９は、指部材７５ａと枢動自在に接続された外側端部を有する。外側リンク１１１は、外側トリガ部材９７と枢動自在に接続された外側端部を有する。
【００４３】
内側トリガ部材および外側トリガ部材５８ａ、９７に面したグリップ枠３４ａの部分は、図７、８および１１に示すように、くぼみ１１８を有する。
【００４４】
止め具５２ａが、プル・ロッド８５ａと内側リンク１０９の間に配置されている。止め具５２ａは、指部材７５ａが図７および８に示す開放位置にあるとき、戻り止め８４ａとリンク１０９の間の指部材７５ａの部分によって係合される。
【００４５】
動作中、内側および外側トリガ部材５８ａ、９７は、図７および８に示した各開放位置へ向かう方向６６ａ、１０２へ枢動する。ケーブル・タイの尾部が、プル・ロッド８５ａの遠端部８８ａと結合される。
【００４６】
使用者が、外側トリガ部材９７を掴み、ピストル型のハウジングをツール３０について本明細書で説明したのとほぼ同じ方式で把持する。次に使用者の手が、ピストル型のハウジングをツール３０について本明細書で説明したのとほぼ同じ方式で閉じられる。
【００４７】
内側および外側トリガ部材５８ａ、９７およびリンク１０７、１０９、１１１は、外側トリガ部材のグリップ枠３４ａへ向かう変位が、トリガ部材の反転する連続枢動を生じさせるような形状およびサイズである。この反転する連続枢動は、外側トリガ部材９７の、図１１に示した閉鎖位置へ向かう最初の方向への内側トリガ部材５８ａに対する初期枢動を生じさせるための変位を生じさせる。この初期方向は、図８と１１を比較することによって示すように、枢動自在な接続部１００の周りの内側トリガ部材５８ａに対する外側トリガ部材９７の枢動方向１０５である。外側トリガ部材９７の初期枢動中、内側トリガ部材５８ａのグリップ枠３４ａに対する枢動が、実質上制限される。初期枢動は、リンク１０７、１０９、１１１の枢動を生じさせ、これはさらに、指部材７５ａを図１１に示した閉鎖位置へ向かう方向８３ａへ枢動させる。指部材７５ａの図１１に示した閉鎖位置へ向かう方向８３ａへの枢動は、図１から６に示したツール３０に関してと同じ方式でプル・ロッド８５ａの軸方向変位を生じさせる。
【００４８】
反転する連続枢動は、外側トリガ部材９７のグリップ枠３４ａへ向かう連続的な変位を可能にし、閉鎖位置６８ａへ向かう次の方向へのグリップ枠に対する内側トリガ部材５８ａの次の枢動を生じさせる。外側トリガ部材９７が、初期方向への外側トリガ部材の連続的な枢動が実質上防止される限界に到達したとき、次の枢動が開始される。次の方向は、前記初期方向と反対である。図８と１１を比較することによって示すように、次の方向は、内側トリガ部材５８ａの枢動自在な接続部６４ａの周りのグリップ枠３４ａに関する枢動方向６８ａである。次の枢動中、内側トリガ部材５８ａに対する外側トリガ部材９７の枢動が実質上制限される。次の枢動は、リンク１０７、１０９、１１１の枢動を生じさせ、これはさらに、指部材７５ａを図１１に示した閉鎖位置へ向かう方向８３ａへさらに枢動させる。指部材７５ａの図１１に示した閉鎖位置へ向かう方向８３ａへのさらなる枢動は、図１から６に示したツール３０に関してと同じ方式でプル・ロッド８５ａのさらなる軸方向変位を生じさせる。
【００４９】
トリガ部材５８ａ、９７の初期および次の枢動を含む、反転する連続枢動は、リンク１０７、１０９、１１１を図８に示した位置から図１１に示した位置へ枢動させる。
【００５０】
トリガ部材９７、５８ａの図１１に示した各閉鎖位置へ向かう方向１０５、６８ａへの枢動は、リンク１０７、１１１を、図１１に示すように、リンクがグリップ枠３４ａ内のくぼみ１１８内で受けられる位置へ枢動させる。このことは、トリガ部材９７、５８ａの図１１に示した各閉鎖位置へ向かう方向１０５、６８ａへの枢動を容易にする。
【００５１】
反転する連続枢動の利点は、外側トリガ部材９７の初期枢動中、グリップ枠３４ａから最も離れた部材９７の部分が、枢動が最初は枢動自在な接続部１００の周りであるため、使用者の手の短い指によって把持されることである。これらの指は力がないため、トリガ・リンケージ５６ａおよび中間リンケージ７２ａによってプル・ロッド８５ａに伝達される力は最初は小さい。初期枢動がほぼ完了したとき、グリップ枠３４ａから最も離れた外側トリガ部材９７の部分が、枢動が最初は枢動自在な接続部６４ａの周りであるため、使用者の手の長い指によって把持される。これらの指はより力があるため、トリガ・リンケージ５６ａおよび中間リンケージ７２ａによってプル・ロッド８５ａに伝達される力は増加する。通常、ケーブル・タイは、伸長されるとき、連続的な伸長に対してますます抵抗するようになるため、このことは望ましい。
【００５２】
本発明の好ましい実施形態である、ケーブル・タイ設置ツール３０ｃの代替となる第３の実施形態が、図１２から２３に示されている。図２１から２３は、それぞれ、図１、２および６、および図７、８および１１にほぼ対応する図である。図１、２および６、および図７、８および１１に示した部品と対応する図２１から２３に示した部品は、図２１から２３では、添え字「ｂ」を加えられた図１、２、および６、および図７、８および１１と同じ符号を有する。図７、８および１１のこのような部品の対応は、対応する部材を示すことによって十分であるため、図７、８および１１の符号のいくつかに含まれる添え字「ａ」は、図２１から２３には含まれていない。
【００５３】
図１２から２１は、ハウジング枠３２ｂを示し、符号１１９によって一般に示されるハウジングの外殻を追加的に示している。外殻１１９は、ハウジング枠３２ｂが支持されている殻１２０を備える。グリップ枠３４ｂが配置される殻本体の部分１２０は、手が殻本体およびトリガ・カバー１２１を掴んだとき、解剖学的に、使用者の手のそれへの適合を容易にするような形状にされている。このような把握は、トリガ部材９７、５８ｂを、図２３に示したそれぞれの開放位置から図２４に示したそれぞれの閉鎖位置への方向１０５ｂ、６８ｂへ枢動させるものでもよい。このような把握をさらに容易にするために、このように把握される殻本体１２０の部分の外側表面は、柔らかく快適な材料で形成されてもよい。図１２から２０もまた、直接的または間接的のいずれかで、ハウジング殻１１９に接続されたツール３０ｂの追加の部分を示している。これらの追加の部品のいくつかは、特許文献１に開示されている。
【００５４】
外殻１１９は、トリガ・カバーが、胴部枠３６と垂下関係にある殻本体１２０と枢動自在に接続されているトリガ・カバー１２１を備える。トリガ・カバー１２１は、外側トリガ部材９７に対して外向きに配置されている。枢動自在な接続部は、たとえば図１９での、開放位置から閉鎖位置へ向かう方向１２３、および開放位置へ向かう方向１２５へのトリガ・カバー１２１の枢動を可能にする。
【００５５】
トリガ・カバー１２１は、カバー部材１２７と、カバー部材内に形成された長手方向窓１２９とを備える。トリガ・カバー１２１はまた、窓１２９の上側および下側端部に装着された、上部および下部フランジ１３１、１３３を有する。
【００５６】
ハウジングは、前記上側および下側フランジ１３１、１３３のそれぞれによって回転自在に支持された両端を有するローラ１３５を備える。この回転自在な支持は、上側および下側フランジ１３１、１３３の間で支持された軸と、それと同軸関係で軸の周りを回転するスリーブとを備えるローラ１３５によって提供されてもよい。
【００５７】
ローラ１３５は、その方向が、トリガ・カバー１２１の長手方向軸とほぼ等しい回転軸１３７を有する。ローラ１３５と、上側および下側フランジ１３１、１３３の間の接続は、カバー部材１２７に対するローラの長手方向、横方向および側方向変位を妨げる。ローラ１３５が、ローラの一部がトリガ・カバー１２１の上方に外向きに延びるように、ウインドウ１２９内に配置されている。
【００５８】
内側および外側トリガ部材５８ｂ、９７ｂは、図２２および２３に示すような形状にされている。より具体的には、外側トリガ部材９７ｂは、下側隅部分１３９と上側傾斜部分１４１を有する。
【００５９】
内側トリガ部材５８ｂは、上側および下側セグメント１４５、１４７の間に中間セグメント１４３を有する。中間セグメント１４３は、中間セグメントが、内側軸１４９の外側にあるように上側および下側セグメント１４５、１４７に対して傾斜している。内側軸１４９は、中央平面３８ｂ内に含まれるまたは中央平面とほぼ平行である。内側軸１４９は、内側および外側トリガ部材５８ｂ、９７ｂの間の枢動自在な接続部１００ｂと交差する。内側軸１４９は、内側トリガ部材５８ｂとグリップ枠３４ｂの間の枢動自在な接続部６４ｂとさらに交差する。
【００６０】
止め具５２ｂが、胴部枠３６ｂ上に横方向に装着されている。止め具はピンであってもよい。止め具５２ｂは、内側および外側トリガ部材５８ｂ、９７ｂの図２３に示した開放位置に向かう方向６６ｂ、１０２ｂへの枢動を制限する。部材５８ｂ、９７ｂの止め具５２ｂとの係合が、図２２に示した開放位置を画定する。
【００６１】
外側リンク１１１ｂは、図１７に示すように、単一部材構造を有し、その長手方向軸１１７ｂは、中央平面３８ｂ内にほぼ含まれる。単一部材構造の代替形態として、リンク１１１ｂは、２重部材構造を有してもよい。このような２重部材構造の部材の長手方向軸は、中央平面３８ｂとほぼ平行である。
【００６２】
中央リンク１０７ｂは、図１７に示すように、２重部材構造を有し、その各部材は、中央平面３８ｂとほぼ平行である長手方向軸を有する。２重構造の代替形態として、リンク１０７ｂは、単一部材構造を有してもよい。このような単一部材構造の長手方向軸は、中央平面３８ｂにほぼ含まれるか中央平面とほぼ平行である。
【００６３】
動作中、ツール３０ｂは、ツール３０ａとほぼ同じようにして使用者によって操作される。より具体的には、内側および外側トリガ部材５８ｂ、９７ｂが、止め具５２ｂと係合する方向６６ｂ、１０２ｂに枢動され、それによって、図２２に示した開放位置にされる。次にトリガ・カバー１２１およびローラ１３５が、使用者の手の指によって把持され、使用者の手のひらの手首に近い部分がグリップと当接関係になる。その結果、トリガ・カバー１２１の上方に外向きに延びているローラ１３５の部分のせいで、使用者の手の指の少なくとも１本がローラと接触する。次に、使用者の手が閉じられて、トリガ・カバー１２１を閉鎖位置へ向かう方向１２３へ枢動させる。少なくとも１本の指とローラ１３５の間の接触が、指または複数の指のトリガ・カバー１２１に対する横方向に並進および結果としてのローラの回転を生じさせる。これは、指とトリガ・カバー１２１の間に起こり得る摩擦を低減させる。
【００６４】
トリガ・カバー１２１の外側トリガ部材９７ｂに対する外向きの配置の結果、トリガ・カバーが、閉鎖位置１２５に向かって枢動したとき、外側トリガ部材を図２４に示した閉鎖位置へ向かう方向１０５ｂへ枢動させる。このことは、図７から１１に対して上記の本明細書で説明した反転する連続枢動に対応する反転する連続枢動を生じさせる。ツール３０ａのそれに対応する量と比較すると、プル・ロッド８５ｂに加えられる結果生じる軸方向変位力は増加し、内側および外側トリガ部材９７ｂ、５８ｂを、図２３に示した開放位置から図２４に示した閉鎖位置への方向１０５ｂ、６８ｂへ枢動させるために必要な角変位は減少する。この減少は、下側隅部分１３９と、上側傾斜部分１４１と、中間セグメント１４３と、上側および下側セグメント１４５、１４７を備える内側および外側トリガ部材５８ｂ、９７ｂの形状の結果生じる。
【００６５】
本発明の好ましい実施形態である、ツール３０ｃの代替となる第４の実施形態が、図２５から２７に示されている。図２５から２７は、それぞれ、図１から３、図７から９、および図２２、２３および２０にほぼ対応する図である。図１から３、図７から９、および図２２、２３および２０で示した部品と対応する図２５から２７に示した部品は、図２５から２７では、添え字「ｃ」を加えられた図１から３、図７から９、および図２２、２３および２０と同じ符号を有する。図７から９、および図２２、２３および２０のこのような部品の対応は、対応する部材を示すことによって十分であるため、図７から９、および図２２、２３および２０の符号のいくつかに含まれる添え字「ａ」、「ｂ」は、図２５から２７には含まれていない。
【００６６】
図２５に示すように、ツール３０ｃは、図２２に示したツール３０ｂと特定の対応性を有する。ツール３０ｃは、符号１５１によって一般に示される戻りばねを備える。戻りばね１５１は、一般に細長く、下側隅部分１３９ｃと上側傾斜部分１４１ｃの間のほぼ交点の所で、外側トリガ部材９７ｃと接続されている。戻りばね１５１は、転換部材７５ｃとグリップ枠３４ｃとの枢動自在な接続部７７ｃとさらに接続されている。戻りばね１５１は、中央平面３８ｃ内にほぼ含まれる、または中央平面と平行な長手方向軸１５３を有する。
【００６７】
図２５に示した内側リンク１０９ｃは、図２７に示したように、単一部材構造と、中央平面３８ｃ内にほぼ含まれる長手方向軸１１６ｃを有する。単一部材構造に対する代替形態として、リンク１０９ｃは、２重部材構造を有してもよい。このような２重部材構造の部材の長手方向軸は、中央平面３８ｃとほぼ平行である。
【００６８】
動作中、ツール３０ｃは、ツール３０ｂとほぼ同じようにして使用者によって操作される。戻りばね１５１が、外側トリガ部材９７ｃの枢動を、外側トリガ部材の閉鎖位置に向かう方向１０５ｃへ位置合わせする。
【００６９】
図７から１１、および図１２から２４にそれぞれ示したツール３０ａ、３０ｂは、図２５から２７に示した戻りばね１５１と対応する戻りばねを有してもよい。図１から６に示したツール３０は、トリガ部材の枢動を、図５および６に示した閉鎖位置に向かう方向６８へ位置合わせするトリガ部材５８と接続された戻りばねを有してもよい。
【００７０】
図１から６、図７から１１、および図２５から２７に示したツール３０、３０ａ、３０ｃはそれぞれ、外殻１１９、殻本体１２０、トリガ・カバー１２１およびローラ１３５にそれぞれ対応する、殻本体を備える外殻、およびトリガ・カバーおよびローラを有してもよい。図１から６、図７から１１、および図２５から２７のこのような外殻およびローラは、外殻１１９およびローラ１３５の動作に対応する方式で動作してもよい。
【００７１】
本発明を、ある好ましい実施形態を参照することによって説明してきたが、ここで説明した本発明の概念の精神および範囲内で多数の変更が可能であることを理解されたい。したがって、本発明はここに開示された実施形態に限定されるものではなく、頭記の特許請求の範囲の言語によって許される全範囲を有することを意図されている。
【図面の簡単な説明】
【００７２】
【図１】トリガ機構が開放位置で示されている、ハウジング枠およびトリガ機構を示すために外側ハウジングが取り外された本発明の人間工学的なケーブル・タイ設置ツールの透視図である。
【図２】図１のツールの側立面図である。
【図３】図２の線３−３によって示された平面内での図２のツールの前立面図である。
【図４】図２の線４−４によって示された平面内での図２のツールの平面図である。
【図５】トリガ機構が閉鎖位置で示されている、ハウジング枠およびトリガ機構を示すために外側ハウジングおよび胴部が取り外された図１のツールの透視図である。
【図６】図５のツールの側立面図である。
【図７】トリガ機構が開放位置で示されている、ハウジング枠およびトリガ機構を示すために外側ハウジングが取り外された図１のツールの代替となる第２の実施形態の透視図である。
【図８】トリガ機構が開放位置で示されている、図７のツールの側立面図である。
【図９】図８の線９−９によって示された平面内での図８のツールの前立面図である。
【図１０】図８の線１０−１０によって示された平面内での図８のツールの平面図である。
【図１１】トリガ機構が閉鎖位置で示されている、図７のツールの側立面図である。
【図１２】トリガ機構が開放位置で示されている、図１のツールの代替となる第３の実施形態の側立面図である。
【図１３】図１２の線１３−１３によって示された平面内での図１２のツールの前立面図である。
【図１４】図１２の線１４−１４によって示された平面内での図１２のツールの後立面図である。
【図１５】図１２の線１５−１５によって示された平面内での図１２のツールの平面図である。
【図１６】トリガ機構を示すためにハウジングの外殻の部分が透明である、図１２のツールの側立面図である。
【図１７】図１６の線１７−１７によって示された平面内での図１６のツールの後立面図である。
【図１８】図１６の線１８−１８によって示された平面内での図１６のツールの平面図である。
【図１９】トリガ機構を示すためにハウジングの外殻が取り外され、トリガ・カバーが透明である、図１２のツールの側立面図である。
【図２０】図１９の線２０−２０によって示された平面内での図１９のツールの前立面図である。
【図２１】トリガ機構が開放位置で示されている、トリガ機構を示すためにハウジングの外殻の部分が透明であり、取り外された、図１２のツールの透視図である。
【図２２】ハウジング枠およびトリガ機構をさらに示すために、ハウジングの外殻の追加の部分が取り外された、図２１のツールの透視図である。
【図２３】トリガ機構が開放位置で示されている、ハウジングの外殻が取り外された、図２２のツールの側立面図である。
【図２４】トリガ機構が閉鎖位置で示されている、ハウジングの外殻が取り外された、図２２のツールの側立面図である。
【図２５】トリガ機構が開放位置で示されている、戻りばねを示すために、ハウジングおよびトリガ機構の一部分が取り外された、図１のツールの代替となる第４の実施形態の透視図である。
【図２６】トリガ機構が開放位置で示されている、図２５のツールの側立面図である。
【図２７】図２６の線２７−２７によって示された平面内での図２６のツールの前立面図である。
【符号の説明】
【００７３】
３０  ツール
３２  ハウジング枠
３４  グリップ枠
３６  胴部枠
３８  中央平面
４０、４２  長手方向軸
【図１】
2005119744.tif 000003
【図２】
2005119744.tif 000004
【図３】
2005119744.tif 000005
【図４】
2005119744.tif 000006
【図５】
2005119744.tif 000007
【図６】
2005119744.tif 000008
【図７】
2005119744.tif 000009
【図８】
2005119744.tif 000010
【図９】
2005119744.tif 000011
【図１０】
2005119744.tif 000012
【図１１】
2005119744.tif 000013
【図１２】
2005119744.tif 000014
【図１３】
2005119744.tif 000015
【図１４】
2005119744.tif 000016
【図１５】
2005119744.tif 000017
【図１６】
2005119744.tif 000018
【図１７】
2005119744.tif 000019
【図１８】
2005119744.tif 000020
【図１９】
2005119744.tif 000021
【図２０】
2005119744.tif 000022
【図２１】
2005119744.tif 000023
【図２２】
2005119744.tif 000024
【図２３】
2005119744.tif 000025
【図２４】
2005119744.tif 000026
【図２５】
2005119744.tif 000027
【図２６】
2005119744.tif 000028
【図２７】
2005119744.tif 000029